(57)【要約】【課題】レーベル面に対する可視画像の描画を短時間で終了させることができると共に、描画された可視画像のコントラスト並びに視認性を向上させることができる光記録媒体を提供する。【解決手段】第１光記録媒体１０Ａは、第１積層体１２と第２積層体１４とを有する。第１積層体１２は、透明性の第１基板１６と、該第１基板１６上に形成された情報記録層１８と、該情報記録層１８上に形成された第１反射層２０とを有する。第２積層体１４は、透明性の第２基板２２と、該第２基板２２上に形成された光散乱層２３（光散乱体）と、該光散乱層２３上に形成された画像記録層２４と、該画像記録層２４上に形成された第２反射層２６とを有する。そして、第１積層体１２及び第２積層体１４が、第１反射層２０と第２反射層２６とが対向するように、接着層２８を介して貼り合わされている。【選択図】図１
2008084388.tif 000002
【特許請求の範囲】
【請求項１】
基板と、前記基板上に形成され、レーザ光の照射によって可視画像が記録される画像記録層とを有する光記録媒体において、
前記基板と前記画像記録層との間に、光散乱体が介在されていることを特徴とする光記録媒体。
【請求項２】
請求項１記載の光記録媒体において、
前記光散乱体は、母材と、該母材中に分散された多数の粒子とを有し、
前記粒子の屈折率は、前記母材の屈折率と異なることを特徴とする光記録媒体。
【請求項３】
請求項２記載の光記録媒体において、
前記母材は、ポリカーボネート、ポリメチルメタクリレート等のアクリル樹脂、三酢酸セルロース、又はポリエチレンテレフタラートであって、且つ、
前記粒子は、ポリメタクリル酸メチル、シリカ、又はメラミン樹脂にて構成されていることを特徴とする光記録媒体。
【請求項４】
請求項２又は３記載の光記録媒体において、
前記粒子の粒径が、０．５〜１０．０μｍであって、且つ、
前記粒子の含有量が、５〜２０質量％であることを特徴とする光記録媒体。
【請求項５】
請求項１〜４のいずれか１項に記載の光記録媒体において、
前記光散乱体の厚みが１〜８０μｍであることを特徴とする光記録媒体。
【請求項６】
請求項１〜５のいずれか１項に記載の光記録媒体において、
前記光散乱体のヘイズ値が５０〜９５％であることを特徴とする光記録媒体。
【請求項７】
基板と、前記基板上に形成され、レーザ光の照射によって可視画像が記録される画像記録層とを有する光記録媒体において、
前記基板が光散乱体を構成していることを特徴とする光記録媒体。
【請求項８】
請求項７記載の光記録媒体において、
前記基板は、母材と、該母材中に分散された多数の粒子とを有し、
前記粒子の屈折率は、前記母材の屈折率と異なることを特徴とする光記録媒体。
【請求項９】
請求項８記載の光記録媒体において、
前記母材は、ポリカーボネート、ポリメチルメタクリレート等のアクリル樹脂、三酢酸セルロース、又はポリエチレンテレフタラートであって、且つ、
前記粒子は、ポリメタクリル酸メチル、シリカ、又はメラミン樹脂にて構成されていることを特徴とする光記録媒体。
【請求項１０】
請求項８又は９記載の光記録媒体において、
前記粒子の粒径が、０．５〜２０．０μｍであって、且つ、
前記粒子の含有量が、０．０５〜２０質量％であることを特徴とする光記録媒体。
【請求項１１】
請求項７〜１０のいずれか１項に記載の光記録媒体において、
前記基板の厚みが３０〜１０００μｍであることを特徴とする光記録媒体。
【請求項１２】
請求項７〜１１のいずれか１項に記載の光記録媒体において、
前記基板のヘイズ値が３０〜７０％であることを特徴とする光記録媒体。
【請求項１３】
基板と、前記基板上に形成され、レーザ光の照射によって可視画像が記録される画像記録層とを有する光記録媒体において、
前記画像記録層が光散乱体を構成していることを特徴とする光記録媒体。
【請求項１４】
請求項１３記載の光記録媒体において、
前記画像記録層は、母材と、該母材中に分散された多数の粒子とを有し、
前記粒子の屈折率は、前記母材の屈折率と異なることを特徴とする光記録媒体。
【請求項１５】
請求項１４記載の光記録媒体において、
前記母材は、色素化合物であって、且つ、
前記粒子は、ポリメタクリル酸メチル、シリカ、又はメラミン樹脂構成されていることを特徴とする光記録媒体。
【請求項１６】
請求項１４又は１５記載の光記録媒体において、
前記粒子の粒径が、３０〜１００ｎｍであって、且つ、
前記粒子の含有量が、１０〜３０質量％であることを特徴とする光記録媒体。
【請求項１７】
請求項１３〜１６のいずれか１項に記載の光記録媒体において、
前記画像記録層の厚みが０．０５〜０．５μｍであることを特徴とする光記録媒体。
【発明の詳細な説明】
【技術分野】
【０００１】
本発明は、基板と、前記基板上に形成され、可視画像が記録される画像記録層とを有する光記録媒体に関し、特に、画像記録層にレーザ光によって可視画像を記録することが可能な光記録媒体に関する。
【背景技術】
【０００２】
ＣＤ−ＲやＤＶＤ−Ｒ等の光記録媒体の１種として、電子情報が記録される記録面と反対側の面に、記録面に記録した電子情報の内容、例えば、音楽データの楽曲タイトルや、記録したデータを識別するためのタイトル等の可視情報を印刷したラベルを貼付したものが知られている。このため、該反対側の面は、レーベル面と呼称される。
【０００３】
この種の光記録媒体は、プリンタ等によって円形のラベルシート上にタイトル等を予め印刷し、当該ラベルシートをレーベル面に貼付することにより作製される。
【０００４】
しかしながら、ラベルシートをレーベル面に貼付する場合、ディスクドライブとは別に、ラベルシートを印刷するためのプリンタが必要となる。すなわち、ディスクドライブを用いて光記録媒体の記録面に記録を行った後、該光記録媒体をディスクドライブから取り出し、さらに、プリンタによって印刷されたラベルシートを貼付する等といった煩雑な作業を行う必要がある。
【０００５】
そこで、レーベル面にレーザマーカを使用して表面と背景のコントラストを変化させて表示をさせることができる光記録媒体が提案されている（例えば、特許文献１参照）。この光記録媒体を用いることで、光記録媒体ドライブのみで記録面への記録と、レーベル面への所望の可視画像記録とを行うことができる。従って、プリンタ等を別途用意する必要がなくなり、ラベルシートを貼付するという煩雑な作業も不要となる。
【０００６】
【特許文献１】特開平１１−６６６１７号公報
【発明の開示】
【発明が解決しようとする課題】
【０００７】
ところで、通常、光記録媒体ドライブから出射されるレーザ光は、ピット形成用にフォーカシング等が調整されているため、そのスポット径は非常に小さいものとなっている。
【０００８】
従って、光記録媒体ドライブから出射されるレーザ光によって光記録媒体のレーベル面に可視画像を描画する場合、狭い領域でしか色素が熱分解しないため、描画された部分の明暗がはっきりせず、コントラストが低いことから、描画された可視画像の視認性が低いという問題がある。
【０００９】
これを解決するためには、レーザ光の描画回数を増やして、色素が熱分解する領域を広くすることが考えられる。しかし、この方法では、レーベル面に対して可視画像を描画し終えるまでに時間がかかり、実用的でないという問題がある。
【００１０】
本発明はこのような課題を考慮してなされたものであり、レーベル面に対する可視画像の描画を短時間で終了させることができると共に、描画された可視画像のコントラスト並びに視認性を向上させることができる光記録媒体を提供することを目的とする。
【課題を解決するための手段】
【００１１】
第１の本発明に係る光記録媒体は、基板と、前記基板上に形成され、レーザ光の照射によって可視画像が記録される画像記録層とを有する光記録媒体において、前記基板と前記画像記録層との間に、光散乱体が介在されていることを特徴とする。
【００１２】
これにより、光記録媒体に対して照射されたレーザ光が光散乱によって散乱されることから、たとえ１回の描画によっても、広い範囲にわたって可視画像が描画されることになる。
【００１３】
すなわち、光記録媒体への可視画像の描画を短時間で終了させることができると共に、描画された可視画像のコントラスト並びに視認性を向上させることができる。
【００１４】
そして、第１の本発明において、前記光散乱体は、母材と、該母材中に分散された多数の粒子とを有し、前記粒子の屈折率は、前記母材の屈折率と異なることが好ましい。この場合、前記母材は、ポリカーボネート、ポリメチルメタクリレート等のアクリル樹脂、三酢酸セルロース、又はポリエチレンテレフタラートであって、且つ、前記粒子は、ポリメタクリル酸メチル、シリカ、又はメラミン樹脂にて構成されていることが好ましい。また、前記粒子の粒径が、０．５〜１０．０μｍであって、且つ、前記粒子の含有量が、５〜２０質量％質量％であることが好ましい。
【００１５】
また、第１の本発明において、前記光散乱体の厚みが１〜８０μｍであることが好ましい。前記光散乱体のヘイズ値が５０〜９５％であることが好ましい。
【００１６】
次に、第２の本発明に係る光記録媒体は、基板と、前記基板上に形成され、レーザ光の照射によって可視画像が記録される画像記録層とを有する光記録媒体において、前記基板が光散乱体を構成していることを特徴とする。
【００１７】
これにより、光記録媒体に対して照射されたレーザ光が光散乱体である基板によって散乱されることから、たとえ１回の描画によっても、広い範囲にわたって可視画像が描画されることになる。
【００１８】
すなわち、光記録媒体への可視画像の描画を短時間で終了させることができると共に、描画された可視画像のコントラスト並びに視認性を向上させることができる。
【００１９】
そして、第２の本発明において、前記基板は、母材と、該母材中に分散された多数の粒子とを有し、前記粒子の屈折率は、前記母材の屈折率と異なることが好ましい。この場合、前記母材は、ポリカーボネート、ポリメチルメタクリレート等のアクリル樹脂、三酢酸セルロース、又はポリエチレンテレフタラートであって、且つ、前記粒子は、ポリメタクリル酸メチル、シリカ、又はメラミン樹脂にて構成されていることが好ましい。また、前記粒子の粒径が、０．５〜２０．０μｍであって、且つ、前記粒子の含有量が、０．０５〜２０質量％であることが好ましい。
【００２０】
また、第２の本発明において、前記基板の厚みが３０〜１０００μｍであることが好ましい。前記基板のヘイズ値が３０〜７０％であることが好ましい。
【００２１】
次に、第３の本発明に係る光記録媒体は、基板と、前記基板上に形成され、レーザ光の照射によって可視画像が記録される画像記録層とを有する光記録媒体において、前記画像記録層が光散乱体を構成していることを特徴とする。
【００２２】
これにより、光記録媒体に対して照射されたレーザ光が光散乱体である画像記録層によって散乱されることから、たとえ１回の描画によっても、広い範囲にわたって可視画像が描画されることになる。
【００２３】
すなわち、光記録媒体への可視画像の描画を短時間で終了させることができると共に、描画された可視画像のコントラスト並びに視認性を向上させることができる。
【００２４】
そして、第３の本発明において、前記画像記録層は、母材と、該母材中に分散された多数の粒子とを有し、前記粒子の屈折率は、前記母材の屈折率と異なることが好ましい。この場合、前記母材は、色素化合物であって、且つ、前記粒子は、ポリメタクリル酸メチル、シリカ、又はメラミン樹脂にて構成されていることが好ましい。また、前記粒子の粒径が、３０〜１００ｎｍであって、且つ、前記粒子の含有量が、１０〜３０質量％であることが好ましい。
【００２５】
また、第３の本発明において、前記画像記録層の厚みが０．０５〜０．５μｍであることが好ましい。
【発明の効果】
【００２６】
以上説明したように、本発明に係る光記録媒体によれば、レーベル面に対する可視画像の描画を短時間で終了させることができると共に、描画された可視画像のコントラスト並びに視認性を向上させることができる。
【発明を実施するための最良の形態】
【００２７】
以下、本発明に係る光記録媒体の実施の形態例を図１〜図１３を参照しながら説明する。
【００２８】
［第１光記録媒体］
先ず、第１の実施の形態に係る光記録媒体（以下、第１光記録媒体１０Ａと記す）について図１〜図６を参照しながら説明する。
【００２９】
第１光記録媒体１０Ａは、図１に示すように、第１積層体１２と第２積層体１４とを有する。第１積層体１２は、透明性の第１基板１６と、該第１基板１６上に形成された情報記録層１８と、該情報記録層１８上に形成された第１反射層２０とを有する。第２積層体１４は、透明性の第２基板２２と、該第２基板２２上に形成された光散乱層２３（光散乱体）と、該光散乱層２３上に形成された画像記録層２４と、該画像記録層２４上に形成された第２反射層２６とを有する。そして、第１積層体１２及び第２積層体１４が、第１反射層２０と第２反射層２６とが対向するように、接着層２８を介して貼り合わされている。
【００３０】
情報記録層１８は、例えば第１基板１６側から照射されたレーザ光によってデータ（ピット情報）の記録及び／又は再生が可能となっている。
【００３１】
画像記録層２４は、例えば第２基板２２側から照射されたレーザ光によって可視画像が記録できるようになっている。
【００３２】
さらに、この第１光記録媒体１０Ａは、第２基板２２の表面（画像記録層２４が形成される側の表面）の一部にプリピット領域３０が割り当てられ、該プリピット領域３０に１以上のプリピット３２、好ましくは複数のプリピット３２が形成されている。
【００３３】
プリピット３２の組み合わせにて示される情報としては、第１光記録媒体１０Ａに関する各種情報が考えられ、例えば、当該第１光記録媒体１０Ａが画像記録層２４を有する光記録媒体であるかどうかの識別情報や、画像記録層２４に可視画像を描画する際のレーザ光の出力に関する情報やスポット径に関する情報、描画すべき可視画像の階調に関する情報等である。従って、プリピット３２を検出することによって、当該第１光記録媒体１０Ａが画像記録層２４を有する光記録媒体であるかを容易に検出することができ、また、画像記録層２４に可視画像を描画する際に、最適なレーザ出力にて描画することができ、しかも、可視画像を高い描画特性をもって記録することができる。なお、プリピット１０の組み合わせにて示される情報としては、その他に製造者情報等が挙げられる。
【００３４】
第２基板２２の表面中、プリピット領域３０の割り当て位置としては、特に制限されない。例えば図２の第１の変形例に係る光記録媒体１０Ａａに示すように、プリピット領域３０を、画像記録層２４が形成されている領域（画像記録層形成領域３４）よりも内周側にあってもよい。プリピット領域３０が内周側にあることで、プリピット３２が色素化合物で埋まらないため、プリピット３２からの戻り光を検出しやすいという利点がある。ただ、プリピット領域３０に画像記録層２４を形成しないようにするためには、プリピット領域３０の最外周と画像記録層形成領域３４の最内周との間に、ある程度のマージンが必要となる。
【００３５】
もちろん、画像記録層形成領域３４をできるだけ広く確保するという観点から、図１に示すように、プリピット領域３０と画像記録層形成領域３４とが一部重なっていてもよい。すなわち、プリピット３２上に画像記録層２４の少なくとも一部が形成されていてもよい。光散乱層２３は、図１に示すように、プリピット領域３０上に形成されないようにすることが好ましい。
【００３６】
図１や図２に示すように、プリピット領域３０を第２基板２２の内周側に設ける場合は、第２基板２２の中心より半径２１〜２４ｍｍの範囲に設けることが好ましい。
【００３７】
図３に示すように、プリピット３２の平均深さｈｐは１５０〜４００ｎｍとし、２００〜３００ｎｍであることが好ましい。１５０〜４００ｎｍとすることで、プリピット３２からの戻り光を電気信号に変換した後の信号（戻り光信号と記す）の信号振幅が大きくなり、戻り光信号の読み取り精度を高くすることができる。また、２００〜３００ｎｍとすることで、より確実に戻り光信号を検出することができる。
【００３８】
プリピット３２の半径方向の平均半値幅Ｗは２００〜５００ｎｍであることが好ましく、２５０〜４５０ｎｍであることがより好ましい。２００〜５００ｎｍとすることで、戻り光信号に重畳されるトラック間方向のクロストークが小さく、検出するに十分な信号振幅を得ることができる。なお、プリピット３２の周方向の長さ（半値幅）は、記録する情報によるため、適宜設定される。
【００３９】
また、プリピット３２の凸部３２Ａ上の画像記録層２４の平均厚みｈ１と、プリピット３２の凹部３２Ｂ上の画像記録層２４の平均厚みｈ２との比（ｈ１／ｈ２）は、０．１〜０．９であり、プリピット３２の凹部３２Ｂ上の画像記録層２４の窪みの深さ（ｈｐ＋ｈ１−ｈ２）が７０〜２５０ｎｍであることが好ましい。
【００４０】
「ｈ１／ｈ２」及び「ｈｐ＋ｈ１−ｈ２」が上記範囲にあることで、画像記録層２４の第２反射層２６が形成される面が、レーザ光を読み取るのに適度な凹凸を有することになり、良好な再生信号を得ることができる。「ｈ１／ｈ２」のより好ましい範囲は、０．２〜０．８である。「ｈｐ＋ｈ１−ｈ２」のより好ましい範囲は１００〜２００ｎｍであり、さらに好ましくは１２０〜１８０ｎｍである。
【００４１】
また、図２に示すように、画像記録層２４に沿って第２反射層２６が形成されていることが好ましく、プリピット３２の凸部３２Ａ上の第２反射層２６の平均厚みｔ１と、プリピット３２の凹部３２Ｂ上の第２反射層２６の平均厚みｔ２との比（ｔ１／ｔ２）は、０．８〜１．２であることが好ましく、０．９〜１．１であることがより好ましい。
【００４２】
なお、上記ｈｐ、ｈ１及びｈ２等は、ＡＦＭや透過スペクトル又はエリプソメータから求めることができる。また、他の方法として、完成した第１光記録媒体１０Ａの断面をＳＥＭ等により観察することで求めることができる。
【００４３】
上記のようなプリピット３２を有する第２基板２２は、以下に示すスタンパを使用して製造することができる。スタンパは、上述したプリピット３２を形成するための凹凸が設けられている。当該凹凸のうちの凸部の平均高さは１５０〜４００ｎｍであることが好ましい。スタンパを使用することで、上述した第１光記録媒体を効率よく製造することができる。
【００４４】
スタンパを作製する工程としては、通常のＣＤ−ＲＯＭを製造するためのスタンパを作製するのとほぼ同様の工程を採用することができる。具体的には、ガラス原盤上にフォトレジストを成膜し、現像等を行い、ニッケル等の金属をスパッタし、電鋳処理することでスタンパを作製することができる。
【００４５】
上述した第１光記録媒体１０Ａの構成としては、レーザ光の照射により可視画像の描画が可能な画像記録層２４と、光散乱層２３と、１以上のプリピット３２を有するプリピット領域３０とを具備した構成であれば特に限定されない。すなわち、読出し専用型、追記型、書換え可能型等のいずれとすることもできる。なかでも、追記型であることが好ましい。また、記録形式としては、相変化型、光磁気型、色素型等、特に制限されない。なかでも、色素型であることが好ましい。
【００４６】
特に、図１に示す第１光記録媒体１０Ａは、第１基板１６上に情報記録層１８を有し、第２基板２２上に画像記録層２４を有し、これらが貼り合わされた構成であることから、例えばＤＶＤ（ＤＶＤの他、ＤＶＤ−ＲやＤＶＤ−ＲＷ、ＨＤ  ＤＶＤ等を含む）の構成に適用することが好ましい。
【００４７】
もちろん、第１光記録媒体１０Ａは、ブルーレイディスク（ＢＤ）の構成とすることもできる。
【００４８】
第１光記録媒体１０Ａの層構成としては、図１に示す層構成のほか、例えば、以下の構成が挙げられる。
【００４９】
（１）第１の層構成は、図示しないが、第１基板１６上に、情報記録層１８、第１反射層２０、接着層２８を順次形成し、接着層２８上に、画像記録層２４と光散乱層２３とを有する第２基板２２を貼り合わせる構成である。
【００５０】
（２）第２の層構成は、図示しないが、第１基板１６上に、情報記録層１８、第１反射層２０、保護層、接着層２８を順次形成し、接着層２８上に、画像記録層２４と光散乱層２３とを有する第２基板２２を貼り合わせる構成である。
【００５１】
（３）第３の層構成は、図示しないが、第１基板１６上に、情報記録層１８、第１反射層２０、第１保護層、接着層２８、第２保護層を順次形成し、該第２保護層上に、画像記録層２４と光散乱層２３とを有する第２基板２２を貼り合わせる構成である。
【００５２】
（４）第４の層構成は、図示しないが、第１基板１６上に、情報記録層１８、第１反射層２０、第１保護層、接着層２８、第２保護層、第３保護層を順次形成し、該第３保護層上に、画像記録層２４と光散乱層２３とを有する第２基板２２を貼り合わせる構成である。
【００５３】
（５）第５の層構成は、第１基板１６上に、情報記録層１８、第１反射層２０、接着層２８、第２反射層２６を順次形成し、該第２反射層２６上に、画像記録層２４と光散乱層２３とを有する第２基板２２を貼り合わせる構成である。この層構成は図１とほぼ同じになる。
【００５４】
（６）第６の層構成は、図示しないが、第１基板１６上に、情報記録層１８、第１反射層２０、第１保護層を順次形成し、一方、第２基板２２上に光散乱層２３、画像記録層２４、第２反射層２６、第２保護層を順次形成し、接着層２８を介して第１保護層及び第２保護層を貼り合わせる構成である。
【００５５】
なお、図１に示す層構成、並びに上記（１）〜（６）の層構成は単なる例示であり、これらの層構成は上述の順番のみでなく、一部を入れ替えてもよい。また、一部（画像記録層２４を除く）を省略してもかまわない。さらに、各層は１層で構成されても複数層で構成されてもよい。
【００５６】
以下、図１に記載の層構成を例に、第１光記録媒体１０Ａの各層とその形成方法について説明する。
【００５７】
（情報記録層１８）
情報記録層１８は、記録及び再生に使用されるレーザ光により情報の記録及び再生が行われる層である。特に、デジタル情報等の符号情報（コード化情報）が記録される。情報記録層１８としては、色素記録層でも相変化型記録層でもよいが、色素記録層が好ましい。
【００５８】
色素記録層（情報記録層１８）に含有される色素の具体例としては、シアニン色素、オキソノール色素、アゾ色素、フタロシアニン色素、トリアゾール化合物（ベンゾトリアゾール化合物を含む）、トリアジン化合物、メロシアニン化合物、アミノブタジエン化合物、桂皮酸化合物、ベンゾオキサゾール化合物、ピロメテン化合物、スクアリリウム化合物等が挙げられる。なお、これらは配位中心に金属原子を持っていてもよい。
【００５９】
また、特開平４−７４６９０号公報、同８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素を用いることも可能である。
【００６０】
上記化合物の中では、光ディスク１０が「ＣＤ−Ｒ」の場合、シアニン色素、アゾ色素、フタロシアニン色素が好ましく、「ＤＶＤ−Ｒ」の場合、シアニン色素、オキソノール色素、アゾ色素（Ｎｉ、Ｃｏ錯体を含む）、ピロメテン化合物が好ましく、「ブルーレイディスク及びＨＤ  ＤＶＤ」の場合、シアニン色素、オキソノール色素、アゾ色素、フタロシアニン色素、ベンゾトリアゾール化合物、トリアジン化合物が好ましい。
【００６１】
また、「ＣＤ−Ｒ」の場合、シアニン色素、アゾ色素、フタロシアニン色素がさらに好ましく、「ＤＶＤ−Ｒ」の場合、シアニン色素、オキソノール色素、アゾ色素（Ｎｉ、Ｃｏ錯体を含む）がさらに好ましく、「ブルーレイディスク及びＨＤ  ＤＶＤ」の場合、シアニン色素、オキソノール色素、アゾ色素、フタロシアニン色素がさらに好ましい。
【００６２】
情報記録層１８は、色素等の記録物質を、結合剤等と共に適当な溶剤に溶解して塗布液を調製する。次いでこの塗布液を基板上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００６３】
情報記録層１８の形成は、蒸着、スパッタリング、ＣＶＤ、又は溶剤塗布等の方法によって行うことができるが、溶剤塗布が好ましい。
【００６４】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；ジブチルエーテル、ジエチルエーテル、テトラヒドロフラン、ジオキサン等のエーテル；エタノール、ｎ−プロパノール、イソプロパノール、ｎ−ブタノール、ジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類等を挙げることができる。
【００６５】
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤等各種の添加剤を目的に応じて添加してもよい。
【００６６】
結合剤を使用する場合、該結合剤の例としては、ゼラチン、セルロース誘導体、デキストラン、ロジン、ゴム等の天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子を挙げることができる。
【００６７】
情報記録層１８の材料として結合剤を併用する場合、結合剤の使用量は、一般に色素の質量の０．０１倍量〜５０倍量の範囲にあり、好ましくは０．１倍量〜５倍量の範囲にある。
【００６８】
前記溶剤塗布の塗布方法としては、スプレー法、スピンコート法、ディップ法、ロールコート法、ブレードコート法、ドクターロール法、スクリーン印刷法等を挙げることができる。情報記録層１８は単層でも重層でもよい。情報記録層１８の層厚は一般に１０〜５００ｎｍの範囲にあり、好ましくは１５〜３００ｎｍの範囲にあり、より好ましくは２０〜１５０ｎｍの範囲にある。
【００６９】
情報記録層１８には、該情報記録層１８の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許第３５０３９９号明細書、そして日本化学会誌１９９２年１０月号第１１４１頁等に記載のものを挙げることができる。
【００７０】
前記一重項酸素クエンチャー等の褪色防止剤の使用量は、通常、色素の質量の０．１〜５０質量％の範囲であり、好ましくは、０．５〜４５質量％の範囲、さらに好ましくは、３〜４０質量％の範囲、特に好ましくは５〜２５質量％の範囲である。
【００７１】
相変化型の情報記録層１８を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。相変化型の情報記録層１８の層厚としては、１０〜５０ｎｍとすることが好ましく、１５〜３０ｎｍとすることがより好ましい。以上の相変化型の情報記録層１８は、スパッタ法、真空蒸着法等の気相薄膜堆積法等によって形成することができる。
【００７２】
（第１基板１６、第２基板２２）
第１光記録媒体１０Ａの第１基板１６及び第２基板２２は、従来の光記録媒体の基板として用いられている各種の材料から任意に選択することができる。なお、ここでは、第２基板２２のうち、画像記録層２４が形成される面にプリピット３２が形成されている。
【００７３】
第１基板１６及び第２基板２２の材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステル等を挙げることができ、所望によりそれらを併用してもよい。なお、これらの材料はフィルム状として又は剛性のある基板として使うことができる。上記材料の中では、耐湿性、寸法安定性及び価格等の点からポリカーボネートが好ましい。
【００７４】
第２基板２２は、上述したスタンパを用いて画像記録層２４が形成される側にプリピット３２を有する基板を作製する工程を経て製造される。プリピット３２の深さに相当する凸部３２Ａの高さは、フォトレジストの膜厚を調整することで制御することができる。
【００７５】
第１基板１６及び第２基板２２の厚さは、０．１〜１．２ｍｍとすることが好ましく、０．２〜１．１ｍｍとすることがより好ましい。また、第１基板１６には、図４に示すように、基本的にプリグルーブ３６もしくはトラッキング用のサーボ信号が形成されていることが好ましい。もちろん、第２基板２２にも、そのような溝もしくはトラッキング用のサーボ信号が形成された基板を用いてもよい。第１基板１６のプリグルーブ３６のトラックピッチは、２８０〜９００ｎｍの範囲にすることが好ましく、３００〜８００ｎｍの範囲とすることがより好ましい。また、プリグルーブの深さ（溝深さ）は、１５〜２００ｎｍの範囲とすることが好ましく、２５〜１８０ｎｍの範囲とすることがより好ましい。
【００７６】
画像記録層２４に高精彩な可視画像を記録するには、第２基板２２にもトラッキング用のグルーブ（溝）を設けてもよい。この場合、グルーブのトラックピッチは、記録用のレーザ光の強度分布の観点から、０．３〜２００μｍの範囲にとすることが好ましく、０．６〜１００μｍの範囲とすることがより好ましく、０．７〜５０μｍとすることがさらに好ましい。
【００７７】
また、画像記録時にトラッキングをかけて、且つ、レーザ光を入射する側の基板厚さが０．６ｍｍの場合において、溝の深さは、５０〜２５０ｎｍとすることが好ましく、８０〜２００ｎｍとすることがより好ましく、１００〜１８０ｎｍとすることがさらに好ましい。溝の幅は、１００〜６００ｎｍとすることが好ましく、２００〜５００ｎｍとすることがより好ましく、２５０〜４５０ｎｍとすることがさらに好ましい。なお、溝形状は、レーザ光の波長、ＮＡ、基板厚等でその最適範囲が異なることがある。
【００７８】
第１基板１６の表面（プリグルーブ３６が形成された面（ＲＯＭの場合はピットが形成された面）側）には、平面性の改善、接着力の向上、及び情報記録層の変質防止の目的で、下塗層が設けられてもよい。
【００７９】
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤等の表面改質剤等を挙げることができる。下塗層は、上記物質を適当な溶剤に溶解又は分散して塗布液を調製した後、この塗布液をスピンコート、ディップコート、エクストルージョンコート等の塗布法により基板表面に塗布することにより形成することができる。
【００８０】
下塗層の層厚は一般に０．００５〜２０μｍの範囲にあり、好ましくは０．０１〜１０μｍの範囲である。
【００８１】
（画像記録層２４）
第１光記録媒体１０Ａは、上述したように、情報記録層１８とは反対側の面に画像記録層２４を有する。画像記録層２４には、文字、図形、絵柄等、ユーザが所望する可視画像（可視情報）が記録される。画像記録層２４に記録される可視画像とは、視覚的に認識可能な画像を意味し、文字（列）、絵柄、図形等あらゆる視認可能な情報を含む。可視画像としては、文字、図形、絵柄等、ユーザが所望する可視画像が含まれ、具体的には、ディスクのタイトル、内容情報、内容のサムネール、関連した絵柄、デザイン的な絵柄、著作権情報、記録日時、記録方法、記録フォーマット、バーコード等が挙げられる。
【００８２】
また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。
【００８３】
画像記録層２４は、レーザ光の照射により、文字、画像、絵柄等の画像情報を視認可能に記録できればよい。レーザ光の照射によって可視画像を明瞭に形成できることを考慮すると、画像記録層２４は、色素化合物を含有することが好ましい。そして、その構成材料としては、上述した情報記録層１８において説明した色素を好適に用いることができる。この場合、コスト等を考慮して、画像記録層２４は色素化合物を含有する塗布液を用いてスピンコートにより形成されていることが好ましい。
【００８４】
また、第１光記録媒体１０Ａにおいては、上述した情報記録層１８の構成成分（色素又は相変化記録材料）と画像記録層２４の構成成分とを同じにしても、異ならせてもよいが、情報記録層１８と画像記録層２４とでそれぞれ要求される特性が相違するため、構成成分は異ならせることが好ましい。具体的には、情報記録層１８の構成成分は記録・再生特性に優れるものとし、画像記録層２４の構成成分は記録される可視画像のコントラストが高くなるものとすることが好ましい。特に、色素を用いる場合、画像記録層２４には、記録される可視画像のコントラスト向上の観点から、上述した色素の中でも特に、シアニン色素、フタロシアニン色素、アゾ色素、アゾ金属錯体、オキソノール色素を用いることが好ましい。
【００８５】
また、ロイコ系の染料も使用することができる。具体的には、クリスタルバイオレットラクトン；３，３−ビス（１−エチル２−メチルインドール−３−イル）フタリド、３−（４−ジエチルアミノ−２−エトキシフェニル）−３−（１−エチル２−メチルインドール−３−イル）−４−アザフタリド等のフタリド化合物；３−シクロヘキシルメチルアミノ−６−メチル−７−アニリノフルオラン、２−（２−クロロアニリノ）−６−ジブチルアミノフルオラン、３−ジエチルアミノ−６−メチル−７−アニリノフルオラン、３−ジエチルアミノ−６−メチル−７−キシリジノフルオラン、２−（２−クロロアニリノ）−６−ジエチルアミノフルオラン、２−アニリノ−３−メチル−６（Ｎ−エチルイソペンチルアミノ）フルオラン、３−ジエチルアミノ−６−クロロ−７−アニリノフルオラン、３−ベンジルエチルアミノ−６−メチル−７−アニリノフルオラン、３−メチルプロピルアミノ−６−メチル−７−アニリノフルオラン等のフルオラン化合物；等が好ましい。
【００８６】
画像記録層２４は、上述した色素を溶剤に溶解して塗布液を調製し、該塗布液を塗布することによって形成することができる。溶剤としては既述の情報記録層１８の塗布液の調製に使用する溶剤と同じ溶剤を使用することができる。その他の添加剤、塗布方法等は、上述した情報記録層の場合と同様である。
【００８７】
画像記録層２４の層厚としては、０．０１〜２μｍとすることが好ましく、０．０５〜１μｍとすることがより好ましく、０．１〜０．５μｍとすることがさらに好ましい。
【００８８】
（第１反射層２０、第２反射層２６）
情報の再生時における反射率の向上の目的で、情報記録層１８、画像記録層２４に隣接して第１反射層２０、第２反射層２６が設けられる。第１反射層２０及び第２反射層２６の材料である光反射性物質はレーザ光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは２種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ、Ａｇ、Ａｌあるいはこれらの合金であり、最も好ましくは、Ａｇ、Ａｌあるいはそれらの合金である。第１反射層２０及び第２反射層２６は、例えば、上記光反射性物質を蒸着、スパッタリング又はイオンプレーティングすることにより、情報記録層１８及び画像記録層２４の上に形成することができる。第１反射層２０及び第２反射層２６の層厚は、１０〜３００ｎｍの範囲にあり、５０〜２００ｎｍの範囲にあることが好ましい。
【００８９】
（接着層２８）
接着層２８は、図１における第１積層体１２と第２積層体１４とを接着するための層であり、第１反射層２０と第２反射層２６との間に位置する。接着層２８に使用される接着剤としては、公知の紫外線硬化樹脂等を使用することができる。
【００９０】
（光散乱層２３）
レーザ光によって画像記録層２４に可視画像を描画する際に、該レーザ光を広範囲に拡散させて、広い領域の色素を熱分解させることを目的に、光散乱層２３が設けられる。
【００９１】
この光散乱層２３は、図４に示すように、散乱層母材３８であるポリカーボネート、ポリメチルメタクリレート等のアクリル樹脂、三酢酸セルロース、又はポリエチレンテレフタラートに、多数の粒子４０が分散されて構成される。粒子４０の屈折率は、散乱層母材３８の屈折率と異なる。粒子４０は、ポリメタクリル酸メチル、シリカ、又はメラミン樹脂にて構成される。
【００９２】
粒子４０は、粒径が０．５〜１０．０μｍであって、且つ、含有量が５〜２０質量％であることが好ましい。粒径が大きすぎると、レーザ光が前方散乱によって第２基板２２側に反射される成分が多くなり、画像記録層２４にまで到達する成分が少なくなる。粒径が小さすぎると、光散乱が生じにくくなる。また、粒子４０の含有量が多すぎると、画像記録層２４にまで到達する成分が少なくなり、所望の可視画像を描画できなくなるおそれがある。粒子４０の含有量が少なすぎると、光散乱の効果を十分に得ることができない。
【００９３】
光散乱層２３の厚みは１〜８０μｍであることが好ましい。厚みが大きすぎると、レーザ光の光強度分布に先鋭性がなくなり、輪郭がなまるおそれがある。厚みが小さすぎると、光散乱の効果を十分に得ることができない。
【００９４】
光散乱層２３のヘイズ値としては５０〜９５％であることが好ましい。透明度があまりに低いと、コントラストが低下する。
【００９５】
以下に、図１では図示しないが、好ましい態様において形成される保護層について説明する。
【００９６】
（保護層）
第１反射層２０や情報記録層１８等を物理的及び化学的に保護する目的で保護層が設けられてもよい。
【００９７】
保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
【００９８】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、さらに帯電防止剤、酸化防止剤、ＵＶ吸収剤等の各種添加剤を目的に応じて添加してもよい。保護層の層厚は一般には０．１μｍ〜１ｍｍの範囲にある。
【００９９】
なお、第１光記録媒体１０Ａは、第１基板１６にレーザ光により再生可能な情報が記録された記録部（ピット）を有する、いわゆる再生専用型の光ディスクに適用することができるのは既述の通りである。
【０１００】
第１光記録媒体１０Ａの変形例として、図５及び図６の構成を挙げることができる。なお、図６では、情報記録層１８（図１参照）を省略して示す。
【０１０１】
図５及び図６に示す第２の変形例に係る光記録媒体１０Ａｂは、上述した第１光記録媒体１０Ａとほぼ同様の構成を有するが、第２基板２２の主面の内周側に印刷領域４２が形成されている点で異なる。また、プリピット領域３０は、画像記録層形成領域３４とは重なっておらず、第２基板２２の外周側から内周側に向かって、画像記録層形成領域３４、プリピット領域３０、印刷領域４２が配置された形態になっている。
【０１０２】
印刷領域４２には、例えば、製品名やメーカー名等が印刷される。印刷方法としては、スクリーン印刷が挙げられる。印刷領域４２を第２基板２２の最内周側に形成することで、光記録媒体１０Ａｂの最内周側が遮蔽され、ユーザの視覚効果を高めることができる。
【０１０３】
ここで、光記録媒体１０Ａｂの中心から印刷領域４２、プリピット領域３０及び画像記録層形成領域３４までの半径方向の距離について説明する。
【０１０４】
先ず、光記録媒体１０Ａｂの中心から印刷領域４２の内周端までの距離ｒ０は、８〜２１ｍｍであることが好ましく、光記録媒体１０Ａｂの中心から印刷領域４２の外周端までの距離ｒ１は、２１〜２３ｍｍ（但し、ｒ０＜ｒ１）であることが好ましい。
【０１０５】
光記録媒体１０Ａｂの中心からプリピット領域３０の内周端までの距離ｒ２は、１９〜２２ｍｍであることが好ましく、光記録媒体１０Ａｂの中心からプリピット領域３０の外周端までの距離ｒ３は、２２〜２５ｍｍ（但し、ｒ２＜ｒ３）であることが好ましい。
【０１０６】
また、光記録媒体１０Ａｂの中心から画像記録層形成領域３４の内周端までの距離ｒ４は、２２〜２５ｍｍであることが好ましく、光記録媒体１０Ａｂの中心から画像記録層形成領域３４の外周端までの距離ｒ５は、光記録媒体１０Ａｂの最外周に対応する（但し、ｒ４＜ｒ５）。
【０１０７】
［記録方法］
第１光記録媒体１０Ａの画像記録層２４への画像記録は、具体的には、第１光記録媒体１０Ａと、少なくとも該第１光記録媒体１０Ａの画像記録層２４への画像情報の記録が可能な記録装置とを用いて行う。
【０１０８】
例えば第１光記録媒体１０Ａにおいて、画像記録層２４への画像の記録、及び情報記録層１８への光情報の記録は、両層への記録機能を有する１つの光記録媒体ドライブ（記録装置）で行うことができる。このように１つの光記録媒体ドライブを使用する場合、画像記録層２４及び情報記録層１８のいずれか一方の層への記録を行った後、裏返して他方の層に記録を行うことができる。画像記録層２４への可視画像の記録をする機能を有する光記録媒体ドライブとしては、例えば、特開２００２−２０３３２１号公報、特開２００３−２０３３４８号公報、特開２００３−２４２７５０号公報等に記載されている。
【０１０９】
特に、本実施の形態では、プリピット３２を検出することによって、当該第１光記録媒体１０Ａが画像記録層２４を有する第１光記録媒体１０Ａであるかを容易に検出することができ、また、プリピット３２に含まれる情報に基づいて、画像記録層２４に可視画像を描画する際のレーザ出力を最適な出力に設定することができ、しかも、可視画像を高い描画特性をもって記録することができる。
【０１１０】
〔第１光記録媒体１０Ａの効果〕
このように、第１光記録媒体１０Ａにおいては、第２基板２２と画像記録層２４との間に、光散乱層２３を介在するようにしたので、第１光記録媒体１０Ａに対して照射されたレーザ光が光散乱層２３によって散乱され、たとえ１回の描画によっても、広い範囲にわたって可視画像が描画されることになる。そのため、描画された部分の明暗がはっきりとなり、コントラストが向上し、視認性も向上することとなる。
【０１１１】
すなわち、第１光記録媒体１０Ａにおいては、該第１光記録媒体１０Ａへの可視画像の描画を短時間で終了させることができると共に、描画された可視画像のコントラスト並びに視認性を向上させることができる。
【０１１２】
［第２光記録媒体１０Ｂ］
次に、第２の実施の形態に係る光記録媒体（以下、第２光記録媒体１０Ｂと記す）について図７及び図８を参照しながら説明する。なお、第１光記録媒体１０Ａと同じ部材については同符号を付してその重複説明を省略する。
【０１１３】
第２光記録媒体１０Ｂは、図７及び図８に示すように、上述した第１光記録媒体１０Ａとほぼ同様の構成を有するが、第２基板２２と画像記録層２４との間に光散乱層２３は介在せず、第２基板２２自体が光散乱体４４を構成している点で異なる。
【０１１４】
すなわち、第２基板２２は、基板母材４６である例えばガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステル等に、多数の粒子４０が分散されて構成される。粒子４０の屈折率は、基板母材４６の屈折率と異なる。粒子４０は、ポリメタクリル酸メチル、シリカ、又はメラミン樹脂にて構成される。
【０１１５】
粒子４０は、粒径が０．５〜２０．０μｍであって、且つ、含有量が０．０５〜２０質量％であることが好ましい。粒径が大きすぎると、レーザ光が前方散乱によって第２基板２２の外方に反射される成分が多くなり、画像記録層２４にまで到達する成分が少なくなる。粒径が小さすぎると、光散乱が生じにくくなる。また、粒子４０の含有量が多すぎると、画像記録層２４にまで到達する成分が少なくなり、所望の可視画像を描画できなくなるおそれがある。粒子４０の含有量が少なすぎると、光散乱の効果を十分に得ることができない。
【０１１６】
第２基板２２の厚みは３０〜１０００μｍであることが好ましい。厚みが大きすぎると、レーザ光の光強度分布に先鋭性がなくなり、輪郭がなまるおそれがある。厚みが小さすぎると、光散乱の効果を十分に得ることができない。
【０１１７】
第２基板２２のヘイズ値としては３０〜７０％であることが好ましい。透明度があまりに低いと、コントラストが低下する。
【０１１８】
（第２光記録媒体１０Ｂの効果）
このように、第２光記録媒体１０Ｂにおいては、第２基板２２自体を光散乱体４４としたので、第２光記録媒体１０Ｂに対して照射されたレーザ光が光散乱体４４である第２基板２２によって散乱され、たとえ１回の描画によっても、広い範囲にわたって可視画像が描画されることになる。
【０１１９】
すなわち、第２光記録媒体１０Ｂにおいては、該第２光記録媒体１０Ｂへの可視画像の描画を短時間で終了させることができると共に、描画された可視画像の視認性（コントラスト）を向上させることができる。
【０１２０】
しかも、第１光記録媒体１０Ａと異なり、第２基板２２と画像記録層２４との間に光散乱層２３を介在させる必要がないため、製造工程の簡略化も図ることができる。
【０１２１】
［第３光記録媒体１０Ｃ］
次に、第３の実施の形態に係る光記録媒体（以下、第３光記録媒体１０Ｃと記す）について図９及び図１０を参照しながら説明する。なお、第１光記録媒体１０Ａと同じ部材については同符号を付してその重複説明を省略する。
【０１２２】
第３光記録媒体１０Ｃは、図９及び図１０に示すように、上述した第１光記録媒体１０Ａとほぼ同様の構成を有するが、第２基板２２と画像記録層２４との間に光散乱層２３は介在せず、画像記録層２４自体が光散乱体４４を構成している点で異なる。
【０１２３】
すなわち、画像記録層２４は、記録層母材４８である上述した色素化合物に、多数の粒子４０が分散されて構成される。粒子４０の屈折率は、記録層母材４８である色素化合物の屈折率と異なる。粒子４０は、ポリメタクリル酸メチル、シリカ、又はメラミン樹脂にて構成される。
【０１２４】
粒子４０は、粒径が３０〜１００ｎｍであって、且つ、含有量が１０〜３０質量％であることが好ましい。粒径が大きすぎると、レーザ光が前方散乱によって第２基板２２側に反射される成分が多くなり、画像記録層２４における色素化合物の熱分解に寄与する成分が少なくなる。粒径が小さすぎると、光散乱が生じにくくなる。また、粒子４０の含有量が多すぎると、色素化合物が少なくなり、所望の可視画像を描画できなくなるおそれがある。粒子４０の含有量が少なすぎると、光散乱の効果を十分に得ることができない。
【０１２５】
画像記録層２４の厚みは０．０５〜０．５μｍであることが好ましい。厚みが大きすぎると、レーザ光の光強度分布に先鋭性がなくなり、輪郭がなまるおそれがある。厚みが小さすぎると、光散乱の効果を十分に得ることができない。
【０１２６】
（第３光記録媒体１０Ｃの効果）
このように、第３光記録媒体１０Ｃにおいては、画像記録層２４自体を光散乱体４４としたので、第３光記録媒体１０Ｃに対して照射されたレーザ光が光散乱体４４である画像記録層２４にて散乱され、たとえ１回の描画によっても、広い範囲にわたって可視画像が描画されることになる。
【０１２７】
すなわち、第３光記録媒体１０Ｃにおいては、該第３光記録媒体１０Ｃへの可視画像の描画を短時間で終了させることができると共に、描画された可視画像のコントラスト並びに視認性を向上させることができる。
【０１２８】
しかも、第１光記録媒体１０Ａと異なり、第２基板２２と画像記録層２４との間に光散乱層２３を介在させる必要がないため、製造工程の簡略化も図ることができる。
【実施例１】
【０１２９】
先ず、実施例１〜３と比較例１について、同心円状で、且つ、等間隔に１０本円を描いたときのコントラストの良好／不良を肉眼にて評価した。評価の結果を図１１に示す。
【０１３０】
実施例１は、図１、図４及び図１１に示すように、第１光記録媒体１０Ａにおいて、光散乱層２３に含有する粒子４０を粒径３．０μｍのメラミン樹脂とし、該メラミン樹脂の含有量を１０質量％、光散乱層２３の厚みを２０μｍとした。
【０１３１】
実施例２は、第１光記録媒体１０Ａにおいて、光散乱層２３に含有する粒子４０を粒径１．０μｍのシリカとし、該シリカの含有量を５質量％、光散乱層２３の厚みを１５μｍとした。
【０１３２】
実施例３は、第１光記録媒体１０Ａにおいて、光散乱層２３に含有する粒子４０を粒径１０．０μｍのポリメタクリル酸メチル（ＰＭＭＡ）とし、該ポリメタクリル酸メチルの含有量を２０質量％、光散乱層２３の厚みを８０μｍとした。
【０１３３】
比較例１は、第１光記録媒体１０Ａにおいて、光散乱層２３の形成を省略したものである。
【０１３４】
評価の結果、図１１に示すように、実施例１〜３については、いずれも、描画された円が肉眼ではっきり確認でき（視認性良好）、コントラストも良好であった。比較例１は、描画された部分がほとんど見えず（視認性不良）、コントラストも不良であった。
【実施例２】
【０１３５】
先ず、実施例１１〜１３と比較例２について、同心円状で、且つ、等間隔に１０本円を描いたときのコントラストの良好／不良を肉眼にて評価した。評価の結果を図１２に示す。
【０１３６】
実施例１１は、図７、図８、図１２に示すように、第２光記録媒体１０Ｂにおいて、第２基板２２に含有する粒子４０を粒径１０．０μｍのメラミン樹脂とし、該メラミン樹脂の含有量を０．１質量％、第２基板２２の厚みを１．０ｍｍとした。
【０１３７】
実施例１２は、第２光記録媒体１０Ｂにおいて、第２基板２２に含有する粒子４０を粒径３．０μｍのシリカとし、該シリカの含有量を０．３質量％、第２基板２２の厚みを０．６ｍｍとした。
【０１３８】
実施例１３は、第２光記録媒体１０Ｂにおいて、第２基板２２に含有する粒子４０を粒径１．５μｍのポリメタクリル酸メチルとし、該ポリメタクリル酸メチルの含有量を０．１質量％、第２基板２２の厚みを１．０ｍｍとした。
【０１３９】
比較例２は、第２光記録媒体１０Ｂにおいて、第２基板２２への粒子４０の含有を省略したものである。なお、第２基板２２の厚みは１．０ｍｍである。
【０１４０】
評価の結果、図１２に示すように、実施例１１〜１３については、いずれも、描画された円が肉眼ではっきり確認でき（視認性良好）、コントラストも良好であった。比較例２は、描画された部分がほとんど見えず（視認性不良）、コントラストも不良であった。
【実施例３】
【０１４１】
先ず、実施例２１〜２３と比較例３について、同心円状で、且つ、等間隔に１０本円を描いたときのコントラストの良好／不良を肉眼にて評価した。評価の結果を図１３に示す。
【０１４２】
実施例２１は、図９、図１０、図１３に示すように、第３光記録媒体１０Ｃにおいて、画像記録層２４に含有する粒子４０を粒径１００ｎｍのメラミン樹脂とし、該メラミン樹脂の含有量を２０質量％とした。
【０１４３】
実施例２２は、第３光記録媒体１０Ｃにおいて、画像記録層２４に含有する粒子４０を粒径１００ｎｍのシリカとし、該シリカの含有量を３０質量％とした。
【０１４４】
実施例２３は、第３光記録媒体１０Ｃにおいて、画像記録層２４に含有する粒子４０を粒径１００ｎｍのポリメタクリル酸メチルとし、該ポリメタクリル酸メチルの含有量を３０質量％とした。
【０１４５】
比較例３は、第３光記録媒体１０Ｃにおいて、画像記録層２４への粒子４０の含有を省略したものである。
【０１４６】
評価の結果、図１３に示すように、実施例２１〜２３については、いずれも、描画された円が肉眼ではっきり確認でき（視認性良好）、コントラストも良好であった。比較例３は、描画された部分がほとんど見えず（視認性不良）、コントラストも不良であった。
【０１４７】
なお、本発明に係る光記録媒体は、上述の実施の形態に限らず、本発明の要旨を逸脱することなく、種々の構成を採り得ることはもちろんである。
【図面の簡単な説明】
【０１４８】
【図１】第１光記録媒体の一例を一部省略して示す断面図である。
【図２】第１の変形例に係る光記録媒体を示す平面図である。
【図３】第１光記録媒体におけるプリピット領域の部分を拡大して示す断面図である。
【図４】第１光記録媒体の一部を拡大して示す断面図である。
【図５】第２の変形例に係る光記録媒体を示す平面図である。
【図６】第２の変形例に係る光記録媒体を一部省略して示す断面図である。
【図７】第２光記録媒体の一例を一部省略して示す断面図である。
【図８】第２光記録媒体の一部を拡大して示す断面図である。
【図９】第３光記録媒体の一例を一部省略して示す断面図である。
【図１０】第３光記録媒体の一部を拡大して示す断面図である。
【図１１】実施例１〜３及び比較例１のコントラストの評価結果を示す表図である。
【図１２】実施例１１〜１３及び比較例２のコントラストの評価結果を示す表図である。
【図１３】実施例２１〜２３及び比較例３のコントラストの評価結果を示す表図である。
【符号の説明】
【０１４９】
１０Ａ…第１光記録媒体                  １０Ｂ…第２光記録媒体
１０Ｃ…第３光記録媒体                  ２２…第２基板
２３…光散乱層                          ２４…画像記録層
３８…散乱層母材                        ４０…粒子
４４…光散乱体                          ４６…基板母材
４８…記録層母材
【図１】
2008084388.tif 000003
【図２】
2008084388.tif 000004
【図３】
2008084388.tif 000005
【図４】
2008084388.tif 000006
【図５】
2008084388.tif 000007
【図６】
2008084388.tif 000008
【図７】
2008084388.tif 000009
【図８】
2008084388.tif 000010
【図９】
2008084388.tif 000011
【図１０】
2008084388.tif 000012
【図１１】
2008084388.tif 000013
【図１２】
2008084388.tif 000014
【図１３】
2008084388.tif 000015